【手続補正書】
【提出日】平成18年5月22日(2006.5.22)
【手続補正１】
【補正対象書類名】明細書
【補正対象項目名】発明の名称
【補正方法】変更
【補正の内容】
【発明の名称】情報処理装置及び情報処理方法及びそのプログラム
【手続補正２】
【補正対象書類名】明細書
【補正対象項目名】特許請求の範囲
【補正方法】変更
【補正の内容】
【特許請求の範囲】
【請求項１】  ネットワークを介して外部装置と通信可能な情報処理装置であって、
データ及びそのデータの形式とを対応付けたテーブルを保管する保管手段と、
前記データの形式が異なる複数のデータに対する編集指示を外部装置から受け付ける受付手段と、
前記保管手段に保管されたテーブルを参照して、前記データの形式に基づき各データに対して前記指示された編集を実行可能か否かを判別する判別手段と、
前記指示された複数のデータのうち、前記判別手段により編集を実行可能であると判別されたデータに対して、前記編集を実行する編集手段を備えることを特徴とする情報処理装置。
【請求項２】  前記判別手段により編集を実行不可能であると判別されたデータがあれば、その旨を前記外部装置へ報知する報知手段を更に備えることを特徴とする請求項１記載の情報処理装置。
【請求項３】  前記編集手段により編集されたデータを外部装置に表示させるための表示データを作成する作成手段と、
前記作成された表示データを前記外部装置へ送信する送信手段とを更に備えることを特徴とする請求項１記載の情報処理装置。
【請求項４】  前記データの形式は、前記データが動画像データ及び静止画像データのいずれであるかを示すことを特徴とする請求項１記載の情報処理装置。
【請求項５】  前記編集は、前記データを回転する、前記データのサイズを拡大縮小する、前記データの画質を調整する、前記データを合成する、前記データの音声再生を停止する、又は、前記データを逆再生するうちの少なくとも１つであることを特徴とする請求項１記載の情報処理装置。
【請求項６】  データ及びそのデータの形式とを対応付けたテーブルを保管する保管手段を有し、ネットワークを介して外部装置と通信可能な情報処理装置の情報制御方法であって、
前記データの形式が異なる複数のデータに対する編集指示を外部装置から受け付ける受付工程と、
前記保管手段に保管されたテーブルを参照して、前記データの形式に基づき各データに対して前記指示された編集を実行可能か否かを判別する判別工程と、
前記指示された複数のデータのうち、前記判別工程で編集を実行可能であると判別されたデータに対して、前記編集を実行する編集工程を備えることを特徴とする情報処理方法。
【請求項７】  データ及びそのデータの形式とを対応付けたテーブルを保管する保管手段を有し、ネットワークを介して外部装置と通信可能な情報処理装置の情報制御方法を実現するコンピュータ実行可能なプログラムであって、
前記データの形式が異なる複数のデータに対する編集指示を外部装置から受け付ける受付工程と、
前記保管手段に保管されたテーブルを参照して、前記データの形式に基づき各データに対して前記指示された編集を実行可能か否かを判別する判別工程と、
前記指示された複数のデータのうち、前記判別工程で編集を実行可能であると判別されたデータに対して、前記編集を実行する編集工程を備えることを特徴とするプログラム。
【手続補正３】
【補正対象書類名】明細書
【補正対象項目名】０００１
【補正方法】変更
【補正の内容】
【０００１】
【発明の属する技術分野】
本発明は、ユーザの持つ電子データをインターネット等の通信環境を用いて接続されたサーバ上に保管し、また保管された電子データをユーザや他のユーザに提供するための情報処理装置及び情報処理方法及びそのプログラムに関するものである。
【手続補正４】
【補正対象書類名】明細書
【補正対象項目名】０００７
【補正方法】変更
【補正の内容】
【０００７】
本発明は、上記従来技術の問題点を解決するために提案されたものであり、その目的とするところは、保管された複数データを同時に編集する際に、その編集に適さないデータを自動的に除外することにより、ユーザの操作における利便性を向上させるとともに、編集に適さないデータに関しては編集されていないことをユーザに対して明示する情報処理装置及び情報処理方法及びそのプログラムを提供する。
【手続補正５】
【補正対象書類名】明細書
【補正対象項目名】０００９
【補正方法】変更
【補正の内容】
【０００９】
【課題を解決するための手段】
上記目的を達成するため、本発明の情報処理装置は、ネットワークを介して外部装置と通信可能な情報処理装置であって、データ及びそのデータの形式とを対応付けたテーブルを保管する保管手段と、前記データの形式が異なる複数のデータに対する編集指示を外部装置から受け付ける受付手段と、前記保管手段に保管されたテーブルを参照して、前記データの形式に基づき各データに対して前記指示された編集を実行可能か否かを判別する判別手段と、前記指示された複数のデータのうち、前記判別手段により編集を実行可能であると判別されたデータに対して、前記編集を実行する編集手段を備えることを特徴とする。
【手続補正６】
【補正対象書類名】明細書
【補正対象項目名】００１０
【補正方法】変更
【補正の内容】
【００１０】
ここで、前記判別手段により編集を実行不可能であると判別されたデータがあれば、その旨を前記外部装置へ報知する報知手段を更に備える。また、前記編集手段により編集されたデータを外部装置に表示させるための表示データを作成する作成手段と、前記作成された表示データを前記外部装置へ送信する送信手段とを更に備える。また、前記データの形式は、前記データが動画像データ及び静止画像データのいずれであるかを示す。また、前記編集は、前記データを回転する、前記データのサイズを拡大縮小する、前記データの画質を調整する、前記データを合成する、前記データの音声再生を停止する、又は、前記データを逆再生するうちの少なくとも１つである。
【手続補正７】
【補正対象書類名】明細書
【補正対象項目名】００１１
【補正方法】変更
【補正の内容】
【００１１】
又、本発明の情報処理方法は、データ及びそのデータの形式とを対応付けたテーブルを保管する保管手段を有し、ネットワークを介して外部装置と通信可能な情報処理装置の情報制御方法であって、前記データの形式が異なる複数のデータに対する編集指示を外部装置から受け付ける受付工程と、前記保管手段に保管されたテーブルを参照して、前記データの形式に基づき各データに対して前記指示された編集を実行可能か否かを判別する判別工程と、前記指示された複数のデータのうち、前記判別工程で編集を実行可能であると判別されたデータに対して、前記編集を実行する編集工程を備えることを特徴とする。
【手続補正８】
【補正対象書類名】明細書
【補正対象項目名】００１２
【補正方法】変更
【補正の内容】
【００１２】
又、本発明のプログラムは、データ及びそのデータの形式とを対応付けたテーブルを保管する保管手段を有し、ネットワークを介して外部装置と通信可能な情報処理装置の情報制御方法を実現するコンピュータ実行可能なプログラムであって、前記データの形式が異なる複数のデータに対する編集指示を外部装置から受け付ける受付工程と、前記保管手段に保管されたテーブルを参照して、前記データの形式に基づき各データに対して前記指示された編集を実行可能か否かを判別する判別工程と、前記指示された複数のデータのうち、前記判別工程で編集を実行可能であると判別されたデータに対して、前記編集を実行する編集工程を備えることを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】